Podtech/llm-jp-corpus-v4-ja_patent huggingface dataset:
(57)【要約】      （修正有）【課題】中腰作業者の体形に合わせて腰、膝、足首の関節の加重負担を軽減し、痛みの慢性化を防止した構造で、足元は広く作業性は良く、体が前後左右に円滑に動け、不必要な体重の負担を軽減して、軽量で強度のある、作業椅子を提供する。【解決手段】作業椅子１は、着座可能な着座面１１を有する座板１０と、座板１０の着座面１１の裏面１２に取付られる脚部２０と、を備え、脚部２０は座板１０の裏面１２側縁から下方に延び座板１０の内側に向かって傾斜する、逆三角錐形状に形成された脚本対２１を有する。【選択図】図１
0003201874.tif 000002
【実用新案登録請求の範囲】
【請求項１】
中腰作業者が、着座可能な着座面１１を有する座板１０と、座板１０の着座面１１の裏面１２に取付けられる脚部２０と、を備える作業椅子１であって、脚部２０は、座板１０の側縁近傍から下方に延び座板１０の内側に向かって傾斜する、逆三角錐形状に形成された脚部本体２１を有する作業椅子１。
【請求項２】
脚部２０は、軸形状に形成され、脚部本体２１の下端から下方に向かって突出する先端部２２を有する請求項１に記載の作業椅子１。
【考案の詳細な説明】
【技術分野】
【０００１】
本考案は、作業者が着座可能な着座面を有する座板と、座板の着座面の裏面に取り付けられ脚部と、を備える作業椅子に関するものである。
【背景技術】
【０００２】
従来、軽量な腰掛けに脚取付板を付け、脚を１本にする製品が提案されている。
【先行技術文献】
【特許文献】
【０００３】
【特許文献１】特開平０８−０００３９７号公報
【考案の概要】
【考案が解決しようとする課題】
【０００４】
しかしながら、特許文献１の椅子は、脚が１本のため強度に問題があった。
そこで本発明は、中腰作業時の体形に合わせて腰、膝、足首等の関節の加重負担を軽減を重視した構造で作業性が良く安定感があり、軽量で強度のある作業椅子を提案することを目的とする。
【課題を解決するための手段】
【０００５】
作業者が着座可能な着座面１１のを有する座板１０と、座板１０の着座面１１の裏面に取り付けられる脚部２０と、を備える作業椅子であって、脚部２０は、座板１０の側縁近傍から下方にに延び、座板１０の内側に向かって傾斜する、逆三角錐形状に形成された脚部本体２１を有する作業椅子１。
【０００６】
脚部２０は軸形状に形成され、脚部本体２１の下端から下方に向かって突出する先端部を有する請求項１記載の作業椅子１。
【考案の効果】
【０００７】
本考案は、中腰作業者の体形に合わせて腰、膝、足首等の関節の加重負担の軽減を重視した構造で作業性は良く安定感があり、軽量で強度のある作業椅子１を提供できる。
【図面の簡単な説明】
【０００８】
【図１】本考案の実施形態に係る作業椅子の地表面の膨らみ型円錐形を示した側面図である。
【図２】本考案の実施形態に係る作業椅子の地表面の輪っぱ型円錐形を示した側面図である。
【図３】本考案の実施形態に係る作業椅子の地表面の先端部膨らみ型を示した側面図である。
【図４】本考案の実施形態に係る作業椅子の地表面の先端部輪っぱ型を示した側面図である。
【図５】本考案の実施形態に係る作業椅子の高さ調整用輪っぱを示した側面図である。
【図６】本考案の実施形態に係る作業椅子の沈下及び滑り止め補助板を示した平面図である。
【考案を実施するための形態】
【０００９】
作業椅子１は、着脱可能な座着座面１１を有する座板１０と、座板１０の着座面の裏面１２に取付けらる脚部２０と、を備え、脚部２０は座板１０裏面１２側縁から下方にに延び、座板１０の内側に向かって傾斜する、逆三角錐形状に形成された脚部本体２１を有する。
【００１０】
脚部２０は、軸形状に形成され、脚部本体２１の下端から下方に向かって突出する先端部２２を有する。
【００１１】
作業椅子１は、背当たり３０，脚部本体２１と一体化して鋳込み、強度向上及び軽量化と製作の効率化を図る。
【００１２】
先端部膨らみ型円錐形２２は、脚部本体２１に挿入して使用するので、脚部本体２１の先端から裏面１２迄の、円形の長さ７０％程度にして鋳込む。
【００１３】
先端部輪っぱ型円錐形２３は、脚部本体２１に挿入して使用するので、脚部本体２１の先端から裏面１２迄の、円形の長さ７０％程度にして鋳込む。
【００１４】
高さ調整円錐形輪っぱ型２４は、脚部本体２１に挿入して使用するので、脚部本体２１の先端から裏面１２迄の、円形の長さにして鋳込む。
【００１５】
軸部２２２は、滑り止めとし、先端の形状は２本の爪状に製作する。
【００１６】
輪っぱ部２２３は、泥炭地の滑り止めとし、先端の形状は輪っぱ型に製作する。
【００１７】
作業椅子腹部固定ベルト４０は、業椅子１ベルトにて腹部に締め付け固定し、緩まない構造とする。
【００１８】
沈下抑制及び滑止め補助板７は、泥炭地等の軟弱な地盤の状況に合わせて、寸法を選択して活用する。
【産業上の利用可能性】
【００１９】
作業椅子１は、中腰作業者の腰、膝、足首等の加重負担を軽減し、痛みの慢性化を防ぐべく作業者の体形に合わせた、高さ調整が的確にに出来、又接地面の硬軟に適合した機種を考案し、選択制が多くなり作業性も良い。
【００２０】
作業椅子１の素材及び構成部品は、市場にて入手が容易で、又構造が単純で製作も簡単であり、樹脂、金属、木製等を活用し製造可能である。
【００２１】
先端膨らみ型円錐形２２の形状は、先端を円錐形にして細め、手作業の範囲を拡大すると共に足元のスペースを広げ、又先端に膨らみを付けて、体が前後左右に円滑に動ける事に依って、不必要な加重負担をの軽減を行い、更に膨らみに依って、軟弱な地盤の場合の沈下を防ぎ、尚安定化も図る。
【００２２】
軸部２２２は、滑り止めとするべく軸状にして、尚先端は動物を参考にした２本の爪状に作る。
【００２３】
輪っぱ部２２３は、泥炭地の場合の滑り止めと、ずれ及び沈下を防ぐべく、輪っぱ型に作る。
【００２４】
沈下抑制及び滑り止め補助板７は、更なる泥炭地等の場合に、寸法を選択して活用する。
【００２５】
作業内容に適合し作業性は良く、小型軽量で有りながら、強度も確保され、高さ調整も的確にでき、腹部固定ベルト４０にて体に装着されて安定感を保て、移動時は装着状態で良く着脱不要で煩わしさが無い。
【符号の説明】
【００２６】
１      作業椅子
７      沈下抑制及び滑り止め補助板
１０    座板
２０    脚部
２２    先端膨らみ型
２３    先端輪っぱ型
２４    高さ調整用輪っぱ
３０    背当たり
４０    腹部固定ベルト
２２２  軸部
２２３  輪っぱ部
【図１】
0003201874.tif 000003
【図２】
0003201874.tif 000004
【図３】
0003201874.tif 000005
【図４】
0003201874.tif 000006
【図５】
0003201874.tif 000007
【図６】
0003201874.tif 000008
(57)【要約】      （修正有）【課題】ヘッド部の熱がハンドル部に伝わることを防止できるクッキングスプーンを提供する。【解決手段】ヘッド部１、シャフト部２と、ハンドル部３を含む。シャフト部の右端に第一スロットがあり、ハンドル部の左端に第二スロットがあり、第一スロットと第二スロットの間に断熱ポール４が配置される。断熱ポールとシャフト部の間には第一ネジ４０１が配置される。断熱ポールとハンドル部の間には第二ネジ４０２が配置される。シャフト部の左端にジョーズ２０１があり、ヘッド部はジョーズに配置される。ヘッド部とジョーズの間にボルト２０２が配置される。【選択図】図１
0003201871.tif 000002
【実用新案登録請求の範囲】
【請求項１】
クッキングスプーンにおいて、ヘッド部、シャフト部と、ハンドル部を含み、上述のシャフト部の右端に第一スロットがあり、上述のハンドル部の左端に第二スロットがあり、上述の第一スロットと第二スロットの間に断熱ポールが設けられ、上述の断熱ポールと上述のシャフト部の間に第一ネジが設けられ、上述の断熱ポールと上述のハンドル部の間に第二ネジが設けられ、上述のシャフト部の左端にジョーズがあり、上述のヘッド部は上述のジョーズに設けられ、上述のヘッド部とジョーズの間にボルトが設けられることを特徴とするクッキングスプーン。
【請求項２】
請求項１に記載のクッキングスプーンにおいて、上述のハンドル部にハンドル溝があることを特徴とするクッキングスプーン。
【請求項３】
請求項１に記載のクッキングスプーンにおいて、上述のハンドル部の右端が円弧状であることを特徴とするクッキングスプーン。
【請求項４】
請求項１に記載のクッキングスプーンにおいて、上述のハンドル部の右端にサスペンション孔が設置されることを特徴とするクッキングスプーン。
【請求項５】
請求項１に記載のクッキングスプーンにおいて、上述の断熱ポールが木製であることを特徴とするクッキングスプーン。
【考案の詳細な説明】
【技術分野】
【０００１】
本実用新案は一種クッキングスプーンに関連する。
【背景技術】
【０００２】
クッキングスプーンは一般的なキッチンの調理設備である。クッキングスプーンを通じて料理を炒める。現有技術の中に、クッキングスプーンは多くに金属製である。一部の使用者は常に水が煮っているときにクッキングスプーンをスープに入れて、長い時間で煮ると、クッキングスプーンが熱くなって、持ちにくいから、温度を下げる必要があって、非常に面倒くさい。
【考案の概要】
【考案が解決しようとする課題】
【０００３】
本実用新案は解決する技術問題は一種クッキングスプーンを提供することである。この装置は断熱ポールを通じて、ヘッド部の熱量がハンドル部へ転送することを避けて、ハンドルン部が熱すぎることを避ける。同時に、断熱ポールの長さを調節できるから、ハンドル部からヘッド部への距離が調節できて、個人の使用習慣を満たせる。本装置は構造が簡単で、コストも低いから、普及させるべきだ。
【課題を解決するための手段】
【０００４】
上述の問題を解決するため、本実用新案は以下の技術方案を採用する。一種クッキングスプーンである。ヘッド部、シャフト部と、ハンドル部を含まれる。上述のシャフト部の右端に第一スロットがある。上述のハンドル部の左端に第二スロットがある。上述の第一スロットと第二スロットの間に断熱ポールを配合される。上述の断熱ポールと上述のシャフト部の間に第一ネジを配合される。上述の断熱ポールと上述のハンドル部の間に第二ネジを配合される。上述のシャフト部の左端にジョーズがある。上述のヘッド部は上述のジョーズに配合される。上述のヘッド部とジョーズの間にボルトを配合される。
【０００５】
優先的な方案として、上述のハンドル部にハンドル溝がある。
【０００６】
優先的な方案として、上述のハンドル部の右端がアールで移行する。
【０００７】
優先的な方案として、上述のハンドル部が右端寄りの位置にサスペンション孔を設置される。
【０００８】
優先的な方案として、上述の断熱ポールが木製である。
【考案の効果】
【０００９】
本実用新案の有益な効果はこの装置は断熱ポールを通じて、ヘッド部の熱量がハンドル部へ転送することを避けて、ハンドルン部が熱すぎることを避ける。同時に、断熱ポールの長さを調節できるから、ハンドル部からヘッド部への距離が調節できて、個人の使用習慣を満たせる。本装置は構造が簡単で、コストも低いから、普及させるべきだ。
【図面の簡単な説明】
【００１０】
【図１】本実用新案の構造説明図である。
【考案を実施するための形態】
【００１１】
下記は附図を結合して本実用新案の優先実施例を詳しく述べて、本実用新案のメリットと特徴をもっと容易に本分野の技術員に理解される。そして、本実用新案の保護範囲をより明らかにより明確な範囲を決める。
【００１２】
図1を参照して、一種クッキングスプーンであり、ヘッド部1、シャフト部2と、ハンドル部3を含まれる。上述のシャフト部2の右端に第一スロット(図示しない)がある。上述のハンドル部3の左端に第二スロット（図示しない)がある。上述の第一スロットと第二スロットの間に断熱ポール4を配合される。上述の断熱ポール4と上述のシャフト部2の間に第一ネジ401を配合される。上述の断熱ポール4と上述のハンドル部3の間に第二ネジ402を配合される。上述のシャフト部2の左端にジョーズ201がある。上述のヘッド部1は上述のジョーズ201に配合される。上述のヘッド部1とジョーズ201の間にボルト202を配合される。
【００１３】
本実用新案の中の良い実施例は、上述のハンドル部3にハンドル溝311がある。
【００１４】
本実用新案の中の良い実施例は、上述のハンドル部3の右端がアールで移行する。
【００１５】
本実用新案の中の良い実施例は、上述のハンドル部3が右端寄りの位置にサスペンション孔312を設置される。本実用新案の中の良い実施例は、上述の断熱ポール4が木製である。
【００１６】
本実用新案の有益な効果はこの装置は断熱ポールを通じて、ヘッド部の熱量がハンドル部へ転送することを避けて、ハンドルン部が熱すぎることを避ける。同時に、断熱ポールの長さを調節できるから、ハンドル部からヘッド部への距離が調節できて、個人の使用習慣を満たせる。本装置は構造が簡単で、コストも低いから、普及させるべきだ。
【００１７】
以上の描写は単なる本実用新案の具体的な実施方式しかない。しかし、本実用新案の保護範囲はそこまで限定されない。どのような創造性の労働をしなく考えた変化や変更でも、本実用新案の保護範囲内に含まれるべきだ。だから、本実用新案の保護範囲は権利要求書に決められる保護範囲を基準とするべきだ。
【符号の説明】
【００１８】
1  ヘッド部
2  シャフト部
3  ハンドル部
4  断熱ポール
【図１】
0003201871.tif 000003
(57)【要約】      （修正有）【課題】例えばフライヤーにおいて、一定時間使用後に回収容器に回収された油をフライヤーの揚げ槽に戻す場合、回収された油が入った重い回収容器を持ち上げて行う重労働を改善すると共に、その作業の安全性を改善することができる回収油受け容器を提供する。【解決手段】回収油を受ける回収容器Ａであって、その周壁１の一部に外方へ突出する引掛け部２を設けたことにより、所期の目的を達成したものである。また、変形として、注ぎ口１３の下端部を引掛け部２とすることも可能である。【選択図】図６
0003201877.tif 000002
【実用新案登録請求の範囲】
【請求項１】
回収油を受ける回収容器でＡであって、その周壁１の一部に外方へ突出する引掛け部２を設けてなる回収油受け容器。
【請求項２】
注ぎ口１３の下端部を引掛け部２とした請求項１に記載の回収油受け容器。
【考案の詳細な説明】
【技術分野】
【０００１】
本考案は、主にフライヤーの一時的使用済の食用油を濾過して再使用に供するためにフライヤーの下部に配置され、回収油をフライヤーに戻して再使用するための回収油受け容器の改良に関するものである。
【背景技術】
【０００２】
一般にフライヤーは、天ぷら等の調理により衣の一部が残留するなどして汚れるため、定期的に濾過して下方の回収油受け容器に落とし込んで回収し、清浄化した後、再使用することが多い。
【０００３】
その際、回収油受け容器に溜まった油をフライヤーの揚げ槽に戻すが、一般には１５〜２５リットル程度、或いはそれ以上もあるので、回収油受け容器を持ち上げてフライヤーの上方開口より油を戻す作業が大変であった。それを解消をしようとしたものとして、容器の底部前位置に係止凸部を設けたものが提案されてきた（特許文献１参照）。
【０００４】
しかし、凸部が容器の底に設けられているため、油量が多いと重くなるが、それを調理の作業者がフライヤーの上部開口縁まで持ち上げる必要があり、調理者等の作業者が小柄な年配女性の場合には、相当の重労働となっていた。また、一般にフライヤーの開口縁は３〜４センチ程度、広い場合は１０センチ程度もあり、底部に凸部を設けた場合には、容器の後部を少し持ち上げるだけでも、凸部がフライヤーの開口縁より外れやすく、容器がフライヤー内に落下する惧れがあり、危険であった。
【０００５】
本考案は、これらの従来の欠点を解消しようとするもので、重い容器のフライヤーの開口縁までの持ち上げ高さを低くして作業を楽にするとともに、作業中に凸部が外れにくくし、安全性を向上させることを目的とするものである。
【０００６】
【特許文献１】特開２００９−１９５５９３号公報
【考案の開示】
【考案が解決しようとする課題】
【０００７】
本考案は、回収油が収容された重い容器をフライヤーの開口縁まで持ち上げる場合の持ち上げ高さを少なくして、作業者の作業の軽減化を図ると共に、その作業時の安全性の改善を図るものである。
【課題を解決するための手段】
【０００８】
本考案の第１の特徴は、回収容器Ａの周壁１の適所に外方へ突出する引掛け部２を設けたものである。容器形状は通常は方形であることが多いが、有底円筒状等任意であり、引掛け部２の配置も、奥の周壁１に設けることが多いが、側部でも、前方部でも構わない。第２の特徴は、注ぎ口１３を突出させて、その下部に引掛け部２の機能を兼備させたものである。
【０００９】
引掛け部２は１か所でも良いし、複数個所でも良いが、その突出寸法は、フライヤーＦの開口５の縁４の幅寸法よりもやや大きく設定するのが好ましい。曲面に設ける場合も、その最少突出寸法が、縁４の幅寸法よりもやや大きくするのが好ましい。
【考案の効果】
【００１０】
本考案にあっては、回収容器Ａの周壁１に引掛け部２を設けたのであるから、回収容器Ａは従来のように底をフライヤーＦの開口５の縁４まで持上げ、しかも底の前端部を縁４の向こうまで押し込まなければならなかったものに比して、周壁１の引掛け部２が縁４に引っ掛かるまで持上げるだけで良いので、その分、２０キロ前後或いはそれ以上と相当重いものを上方への持上げる距離が減少すると共に、持上げた後の前方への移動距離が殆どなくなり、厨房での年配の非力な女性の重労働を改善できるものであり、しかも回収容器Ａを傾けて回収油をフライヤーＦの揚げ槽３に戻す場合も、引掛け部２と周壁１が縁４に当接した状態に維持されるため、作業中に回収容器ＡがフライヤーＦの開口５から内部に滑り落ちる惧れもなく、安全に作業ができる利点がある。
【００１１】
しかも開口５の縁４に引掛け部２が支持されるため、多くの回収油が入って重い回収容器Ａの持上げには、後部を持ち上げるだけで良く、その油をフライヤーＦに戻す時の重さ負担が軽減出来る。
【考案を実施するための最良の形態】
【００１２】
以下、本考案を図面により説明する。図１はフライヤーＦの一例の概略概念を示し、フライヤーＦは上部の揚げ槽３に収容された食用油を加熱部７で加熱して調理に供するもので、一定の時間使用された後、閉じていたバルブ６を開けると排出管８、フィルター９を経て下方の回収容器Ａに使用済みの油が回収される。揚げ槽３は縁４により形造られた開口５を有しており、一定時間使用されて回収され、浄化された油は回収容器Ａを引き出して持ち上げ、図４及び５のように周壁１の一部に突設された引掛け部２を縁４に係止し、次いで図６のようにその係止地点を支点として後部を持ち上げることにより、油を開口５より揚げ槽３に戻して再使用に供する。このように回収容器Ａを傾けた場合も、引掛け部２とその直ぐ下の周壁１の一部が縁４と接触状態に維持されるため、回収容器Ａは揚げ槽３内に滑り落ちることもない。引掛け部２は下方に折畳み可能とすると、非使用時は出っ張らない。
【００１３】
図２は回収容器Ａの一例を示すもので、上方が開口した方形箱状の容器であって、鉄やステンレス等任意の金属素材で形成され、周壁１の一部、通常は背部の周壁１に引掛け部２を設ける。回収容器Ａは必要に応じて取っ手１０、コロ１１、脚１２、注ぎ口１３等が設けられる。引掛け部２は、図４乃至図６のように揚げ槽３の開口５周辺の縁４の幅よりも大きな突出寸法であることが好ましい。図３は他の例を示すもので、注ぎ口１３を突出させて、その下部に引掛け部２の機能を兼備させたものである。
【産業上の利用可能性】
【００１４】
本考案は、主として上記のようにフライヤーＦの使用後の油を回収する回収容器Ａに適用されるものであるが、そのような油以外に、使用後再使用される液や紛体、或いは廃棄される液や紛体の受け容器にも適用できる。
【図面の簡単な説明】
【００１５】
【図１】本考案の一実施例の概略概念断面図。
【図２】同上の回収容器の斜視図。
【図３】同上の回収容器の他の実施例の斜視図。
【図４】同上の一部省略した作用説明平面図。
【図５】同上の一部省略した作用説明側面図。
【図６】同上の一部省略した作用説明斜視図。
【符号の説明】
【００１６】
１は周壁、２は引掛け部、１３は注ぎ口、Ａは回収容器。
【図１】
0003201877.tif 000003
【図２】
0003201877.tif 000004
【図３】
0003201877.tif 000005
【図４】
0003201877.tif 000006
【図５】
0003201877.tif 000007
【図６】
0003201877.tif 000008
(57)【要約】      （修正有）【課題】半衿の中に衿芯を入れるときに、早く簡単に差し込めるようにした衿芯通し具を提供する。【解決手段】棒状本体１の一端、即ち半衿に差し込む際の先端となる部位に設けた留め具２に衿芯を挟持させ、棒状本体１の硬さに頼りながら半衿の中に差し込み、衿芯が半衿の中の適当な位置に納まったら留め具２からはずし、棒状本体１を引き抜く。棒状本体１の留め具２を設けた側の先端には、半衿の中に差し込む際に棒先や留め具２が引っ掛かることによる長襦袢や半衿の布地の損傷を防ぐため、さらにカバー３を設ける。 【選択図】図２
0003201891.tif 000002
【実用新案登録請求の範囲】
【請求項１】
木製又は樹脂製からなる棒状本体（１）と、この棒状本体（１）の一端、即ち半衿の中に差し込む際の先端となる部位に設けた、衿芯をとらえる事のできる形状を持つ留め具（２）とからなる衿芯通し具。
【請求項２】
前記棒状本体（１）は、長さが３０〜５０センチメートルである請求項１に記載の衿芯通し具。
【請求項３】
前記棒状本体（１）は、幅が１〜３センチメートルである請求項１または請求項２に記載の衿芯通し具。
【請求項４】
前記棒状本体（１）の留め具（２）を設けた側の先端に、半衿を差し込む際に棒先や留め具（２）が引っ掛かる事による半衿や長襦袢の布地の損傷を防ぐための布又は樹脂製のカバー（３）をさらに設けた請求項１から請求項３のいずれか１項に記載の衿芯通し具。
【考案の詳細な説明】
【技術分野】
【０００１】
本考案は、棒状本体の一端に設けた留め具に衿芯の先端を挟持させ、前記棒状本体の硬さに頼りながら、衿芯を半衿の中に早く簡単に差し込むことができるようにした、衿芯通し具に関するものである。
【背景技術】
【０００２】
和装において着物の下に着る長襦袢の衿は、衿汚れ防止と装飾を目的として、長手方向に二つ折りにした半衿を長襦袢の衿をくるむように取り付けて着用される。さらに、衿に張りを持たせ美しく着るために半衿の中には衿芯を入れる。
【０００３】
従来、衿芯は衿芯自体の張りに頼りながら、手で徐々に直接半衿の中に差し込んでいた。
【０００４】
例えば、板の後方に設けたクリップに衿芯を挟持させ通す道具は提案されていた（特許文献１参照）。
【０００５】
また、紐の後方に設けた口金に衿芯を挟持させ通す道具も提案されていた（特許文献２参照）。
【先行技術文献】
【特許文献】
【０００６】
【特許文献１】特開平１１−１１７１０１号公報
【特許文献２】実用新案登録昭６３−１９５５９４号公報
【考案の概要】
【考案が解決しようとする課題】
【０００７】
これには次のような欠点があった。
衿芯は主に柔らかい樹脂性であるため、曲がったりよれたりして半衿の中に差し込みにくく時間がかかった。
【０００８】
板の後方にクリップを設けたものは、板の長さが短かいため通しにくく時間がかかる。
【０００９】
また、紐の後方に口金を設けたものは、細く柔らかい紐を細長い半衿の中に差し込み反対側から引っ張ることが難しく時間がかかる。
【００１０】
本考案は、以上のような欠点をなくすためになされたものである。
【課題を解決するための手段】
【００１１】
棒状本体（１）の一端、即ち半衿に差し込む際の先端となる部位に設けた留め具（２）に衿芯の先端を挟持させ、前記棒状本体（１）の硬さに頼りながら半衿の中に差し込む。衿芯が半衿の中の適当な位置に納まったら留め具（２）からはずし棒状本体（１）を引き抜く。
【００１２】
また、棒状本体（１）の留め具（２）を設けた側の先端には、半衿を差し込む際に棒先や留め具（２）が引っ掛かる事による半衿や長襦袢の布地の損傷を防ぐためのカバー（３）をさらに設ける。
【考案の効果】
【００１３】
衿芯に、半衿の中へ容易に差し込む事のできる充分な強度をもたせ、早く簡単に差し込むことができる。
【００１４】
結果、着付けの時間が短縮される。
【００１５】
また、樹脂製の半衿よりさらに柔らかい素材でも容易に差し込めるので、紙や三河木綿なども衿芯として使用可能である。
【図面の簡単な説明】
【００１６】
【図１】本考案の分解斜視図である。
【図２】本考案の斜視図である。
【図３】本考案に衿芯を挟んだ状態を示す断面図である。
【図４】本考案の実施例を示す正面図である。
【考案を実施するための形態】
【００１７】
棒状本体（１）の一端、即ち半衿に差し込む際の先端となる部位に留め具（２）を設
け、前記棒状本体（１）の先端と留め具（２）を覆うように、さらにカバー（３）を設ける。
【実施例】
【００１８】
留め具（２）に衿芯を挟持させた、長さ４６センチ、幅１.５センチ、厚さ４ミリの棒状本体（１）を半衿の中に徐々に差し込み、衿芯が半衿の中の適当な位置に納まったら留め具（２）からはずし棒状本体（１）を引き抜く。
【符号の説明】
【００１９】
１  棒状本体
２  留め具
３  カバー
４  衿芯
５  長襦袢
６  半衿
【図１】
0003201891.tif 000003
【図２】
0003201891.tif 000004
【図３】
0003201891.tif 000005
【図４】
0003201891.tif 000006
(57)【要約】      （修正有）【課題】サポートバーに載せて使え、空間を占有しない室内用の洗濯板を提供する。【解決手段】Ｌ字型サポートバー１及びサポートバーに設置した洗濯板２を含み、サポートバーの上表面に第一固定穴が設置してあり、洗濯板の上表面に第二固定穴が設置してあり、第一固定穴と第二固定穴の間はボルト３で繋げ、サポートバーは直角形のノッチ１１１を有し、ノッチの中壁と繋げる第一ボルト１１２があり、洗濯板の上表面に排水溝を設置してある。【選択図】図１
0003201869.tif 000002
【実用新案登録請求の範囲】
【請求項１】
室内用洗濯板において、L字型サポートバー及びサポートバーの洗濯板を含み、そのサポートバーの上表面に第一固定穴が設置してあり、その洗濯板の上表面に第二固定穴が設置してあり、その第一固定穴と第二固定穴の間はボルトで繋げられ、そのサポートバーには直角形のノッチがあり、そのノッチの中壁と繋げる第一ボルトがあり、その洗濯板の上表面に排水溝が設置してあることを特徴とする室内用洗濯板。
【請求項２】
請求項１に記載の室内用洗濯板において、そのサポートバーは方形管であり、サポートバーの壁の厚さは1mm-2mmであることを特徴とする室内用洗濯板。
【請求項３】
請求項１に記載の室内用洗濯板において、その洗濯板外周の四隅はアーチ形で、その洗濯板の材質はPVCプラスチック板、厚さは8mm-12mmであることを特徴とする室内用洗濯板。
【請求項４】
請求項１に記載の室内用洗濯板において、その洗濯板のトップにスクラブボードを設置してあることを特徴とする室内用洗濯板。
【考案の詳細な説明】
【技術分野】
【０００１】
本実用新型は室内用洗濯板に関連する。
【背景技術】
【０００２】
都市の生活面積は小さいから、ほとんどの家庭に洗濯板を買わない。服を洗濯する時、フロアで洗濯し必要、長時間腰を曲げたり、しゃがむしかない、時間が長すぎると、疲れや痛みが感じられる。固定式の洗濯板はトイレの空間を占めるから、あまり実用ではない。
【考案の概要】
【考案が解決しようとする課題】
【０００３】
本実用新型は解決する必要な問題は室内用の洗濯板を提供する。この装置は取り付ける時サポートバーで壁に繋がり、洗濯する必要なとき、洗濯板をサポートバーに乗せると使える。洗濯が終わったら、簡単に分解したら十分であり、この装置はトイレの空間を余り占めない、同時に、この装置のコストが低い。
【課題を解決するための手段】
【０００４】
以上の問題を解決するために、以下の技術案を採用する。一種の室内洗濯板、L字型サポートバー及びサポートバーの洗濯板を含め、そのサポートバーの上表面に第一固定穴を設置してあり、その洗濯板の上表面に第二固定穴を設置してあり、その第一固定穴と第二固定穴の間はボルトで繋げ、そのサポートバーは直角形のノッチがあり、そのノッチの中壁と繋げる第一ボルトがあり、その洗濯板の上表面に排水溝を設置してある。
【０００５】
優秀な技術案として、そのサポートバーは方形管であり、サポートバーの壁の厚さは1mm-2mm。
【０００６】
優秀な技術案として、その洗濯板外周の四隅はアーチ形で、その洗濯板の材質はPVCプラスチック板、厚さは8mm-12mm。
【０００７】
優秀な技術案として、その洗濯板のトップにスクラブボードを設置してある。
【考案の効果】
【０００８】
この装置の有益な効果は、この装置は取り付ける時サポートバーで壁に繋がり、洗濯する必要なとき、洗濯板をサポートバーに乗せると使える。洗濯が終わったら、簡単に分解したら十分であり、この装置はトイレの空間を余り占めない、同時に、この装置のコストが低い、普及することに相応しい。
【図面の簡単な説明】
【０００９】
【図１】本実用新型のフロントビュー。
【図２】洗濯板の平面図。
【図３】サポートバーの平面図。
【考案を実施するための形態】
【００１０】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１１】
図面１、２と３に示された室内用洗濯板を参考して、L字型サポートバー1及びサポートバー1に設置した洗濯板2を含め、そのサポートバー1の上表面に第一固定穴101を設置してあり、その洗濯板2の上表面に第二固定穴201を設置してあり、その第一固定穴101と第二固定穴201の間はボルト3で繋げ、そのサポートバー1は直角形のノッチ111があり、そのノッチ111の中壁と繋げる第一ボルト112があり、その洗濯板2の上表面に排水溝211を設置してある。
【００１２】
本実用新型の好ましい実施例として、そのサポートバー1は方形管であり、サポートバー1の壁の厚さは1mm-2mm。
【００１３】
本実用新型の好ましい実施例として、その洗濯板2外周の四隅はアーチ形で、その洗濯板2の材質はPVCプラスチック板、厚さは10mm。
【００１４】
本実用新型の好ましい実施例として、その洗濯板２のトップにスクラブボード212を設置してある。
【００１５】
この装置の有益な効果は、この装置は取り付ける時サポートバーで壁に繋がり、洗濯する必要なとき、洗濯板をサポートバーに乗せると使える。洗濯が終わったら、簡単に分解したら十分であり、この装置はトイレの空間を余り占めない、同時に、この装置のコストが低い、普及することに相応しい。
【００１６】
以上はただ本実用新型の具代的な実施方法であるが、本実用新型の保護範囲はこれだけではない、あらゆる創造性付きな労働でない想像できた変化と取替えは、皆本実用新型の保護範囲以内に属するべきである。だから、本実用新型の保護範囲は権利要求書が限定した保護範囲を基準にするべきである。
【符号の説明】
【００１７】
1  サポートバー1
2  洗濯板
3  ボルト
101  第一固定穴
201  第二固定穴
【図１】
0003201869.tif 000003
【図２】
0003201869.tif 000004
【図３】
0003201869.tif 000005
(57)【要約】      （修正有）【課題】肩部位置決め溝で子供の肩の位置を決め、凹部で子供の後頭部を位置決め、良好な睡眠姿で体の発育に役立つステレオタイプの枕を提供する。【解決手段】枕は枕カバー１を含み、枕カバーの外周部にヘミング２を縫合してあり、枕カバーの中には枕の中身があり、枕カバーの前端面に肩部位置決め溝４を設置してあり、枕カバーのトップには凹部５があり、凹部は楕円または円形であり、凹部の内表面にはマッサージバンプ５０１を設置してあり、肩部位置決め溝の両側に対称的に肩リミットパッド４０１を設置してある。【選択図】図１
0003201870.tif 000002
【実用新案登録請求の範囲】
【請求項１】
枕において、枕カバーを含み、その枕カバーの外周部にヘミングが縫合してあり、その枕カバーの中には枕の中身があり、その枕カバーの前端面に肩部位置決め溝が設置してあり、その枕カバーのトップには凹部があり、その凹部は楕円または円形であり、その凹部の内表面にはマッサージバンプが設置してあり、肩部位置決め溝の両側に肩リミットパッドが設置してあることを特徴とする枕。
【請求項２】
請求項１に記載の枕において、その枕カバーの底部にその枕の中身と合わせた嵌合溝を設置してあることを特徴とする枕。
【請求項３】
請求項１に記載の枕において、その枕の中身はエマルジョン製のものであることを特徴とする枕。
【請求項４】
請求項１に記載の枕において、その枕カバーの底部の真ん中に二つ以上のスキッドパッドが設置され、そのスキッドパッドの一端には滑り止めのラインが設置されることを特徴とする枕。
【請求項５】
請求項１に記載の枕において、その肩リミットパッドはスポンジであることを特徴とする枕。
【考案の詳細な説明】
【技術分野】
【０００１】
本実用新型は枕に関連する。
【背景技術】
【０００２】
枕はよく見られる寝具であり、子供の枕は、ほとんど大人の枕の小型版である。既存の技術では子供の枕は子供の頭と肩をよく定置することができない、睡眠中の子供、体が移動しやすい、悪い寝姿になりやすい、脊椎の発育に影響を与える。
【考案の概要】
【考案が解決しようとする課題】
【０００３】
本実用新型は解決する必要な問題は一種のステレオタイプの枕を提供する。この装置は肩部位置決め溝で子供の肩の位置を決め、凹部で子供の後頭部を位置決め、寝姿の固定を完成する。この装置は良好な睡眠姿を養成することができ、子供の体の発育に役を立つ。
【課題を解決するための手段】
【０００４】
以上の問題を解決するために、本実用新型は以下の技術案を採用する。一種のステレオタイプの枕、枕カバーを含め、その枕カバーの外周部にヘミングを縫合してあり、その枕カバーの中には枕の中身があり、その枕カバーの前端面に肩部位置決め溝を設置してあり、その枕カバーのトップには凹部があり、その凹部は楕円または円形であり、その凹部の内表面にはマッサージバンプを設置してあり、肩部位置決め溝の両側に対称的に肩リミットパッドを設置してある。
【０００５】
優秀な案として、その枕カバーの底部にその枕の中身と合わせた嵌合溝を設置してある。
【０００６】
優秀な案として、その枕の中身はエマルジョン製のもので、エマルジョン中身は良いメモリ機能を持ち、そして弾性変形後回復能力が強い。
【０００７】
優秀な案として、その枕カバーの底部の真ん中に二つ以上のスキッドパッドを設置してあり、そのスキッドパッドはその枕カバーの間は縫合し固定され、そのスキッドパッドが枕カバーと離れる一端には滑り止めのラインを設置してある。
【０００８】
優秀な案として、その肩リミットパッドはその枕カバーとの間は縫合し固定され、その肩リミットパッドはスポンジである。
【考案の効果】
【０００９】
本実用新型の有益な効果は、この装置は肩部位置決め溝で子供の肩の位置を決め、凹部で子供の後頭部を位置決め、寝姿の固定を完成する。この装置は良好な睡眠姿を養成することができ、子供の体の発育に役を立つ。この装置の構造は簡単で、コストは低い、普及することに相応しい。
【図面の簡単な説明】
【００１０】
【図１】本実用新型の俯瞰図である。
【図２】サポートロッド下面図である。
【考案を実施するための形態】
【００１１】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１２】
図面1と図面２に示された一種のステレオタイプの枕、枕カバー１を含め、その枕カバー１の外周部にヘミング２を縫合してあり、その枕カバー１の中には枕の中身（図面で示されない）があり、その枕カバー１の前端面に肩部位置決め溝４を設置してあり、その枕カバー１のトップには凹部５があり、その凹部５は楕円または円形であり、その凹部の内表面にはマッサージバンプ501を設置してあり、肩部位置決め溝4の両側に対称的に肩リミットパッド401を設置してある。
【００１３】
本実用新型の好ましい実施例として、その枕カバー1の底部にその枕の中身と合わせた嵌合溝111を設置してある。
【００１４】
本実用新型の好ましい実施例として、その枕の中身はエマルジョン製のもので、エマルジョン中身は良いメモリ機能を持ち、そして弾性変形後回復能力が強い。
【００１５】
本実用新型の好ましい実施例として、その枕カバー1の底部の真ん中に二つ以上のスキッドパッド112を設置してあり、そのスキッドパッド112はその枕カバー1の間は縫合し固定され、そのスキッドパッド112が枕カバー1と離れる一端には滑り止めのライン（図面で示されない）を設置してある。
【００１６】
本実用新型の好ましい実施例として、その肩リミットパッド401はその枕カバー1との間は縫合し固定され、その肩リミットパッド401はスポンジである。
【００１７】
本実用新型の有益な効果は、この装置は肩部位置決め溝で子供の肩の位置を決め、凹部で子供の後頭部を位置決め、寝姿の固定を完成する。この装置は良好な睡眠姿を養成することができ、子供の体の発育に役を立つ。
【００１８】
以上は本実用新型の基本原理、主な特徴と本実用新型のメリットを示し説明した 。この分野の技術者は分かるべきところは、本実用新型上記実施例からの制限なし、上記実施例と説明書が叙述するのはただ本実用新型の原理で、本実用新型の精神と範囲を離せない前提の下で、本実用新型は引き続き変化と改善がある、これらの変化と改善は保護された本実用新型範囲以内に属する。本実用新型の必要な保護範囲は別紙の権利要求書で定義する。  
【符号の説明】
【００１９】
１  枕カバー
２  ヘミング
４  肩部位置決め溝
５  凹部
【図１】
0003201870.tif 000003
【図２】
0003201870.tif 000004
(57)【要約】      （修正有）【課題】簡易な方法により一目で用土の保水量が分かる植木鉢を提供する。【解決手段】側面に窓１２を具備し、窓に設置された透明板２と、植木鉢内において透明板の内側に着接する吸水布３と、同じく植木鉢内において吸水布に着接する色布４とを有し、吸水布が植木鉢内の用土に含まれる水分を吸収した時に、色布の色彩が吸水布を透過し、透明板を通して窓の外側より視認できることを特徴とする。透明板は、通常はプラスチックを使用するが、高級感のあるガラスとすることもできる。また、吸水布はレーヨン等の化学繊維のほか、吸水時の透過性を考慮してガーゼの繊維や和紙を使用してもよい。さらに、色布は彩度の高い化学繊維のほか、数種類の色紙を交換して使用することにより、多数の色を楽しむことができる。【選択図】図１
0003201848.tif 000002
【実用新案登録請求の範囲】
【請求項１】
側面に窓を具備する植木鉢であって、
前記窓に設置された透明板と、
前記植木鉢内部において前記透明板に着接する吸水布と、
前記植木鉢内部において前記吸水布に着接する色布と、
を有し、前記吸水布が前記植木鉢内の用土に含まれる水分を吸収した時に前記色布の色彩が前記吸水布を透過し、前記色布の色彩が前記透明板を通して前記窓の外側より視認できることを特徴とする植木鉢。
【請求項２】
前記透明板はプラスチック又はガラスから成り、前記吸水布は白色の繊維から成り、前記色布は高彩度色の繊維から成ることを特徴とする請求項１記載の植木鉢。
【考案の詳細な説明】
【技術分野】
【０００１】
本考案は、一目で用土の水分量が分かる植木鉢に関する。
【背景技術】
【０００２】
一般的に鉢植えの観葉植物や野菜は、枯らさないようにするため、定期的に灌水をして用土の水分量を保持しておくことが求められる。しかしながら、灌水を忘れたり、また、灌水しても浸水が表土のみにとどまり、鉢内部の保水状態が不十分であることがある。
【先行技術文献】
【特許文献】
【０００３】
【特許文献１】特開２００５−９５１２２号公報
【考案の概要】
【考案が解決しようとする課題】
【０００４】
前述したように、一般的な植物は鉢内の保水状態を適度に維持する必要があるが、鉢内の用土は視認できないため、特定の鉢について灌水を失念したり、また、勘に頼って灌水をして、水分が不十分なときがあったりして、植物を枯らせてしまうことがある。
【０００５】
特許文献１には、鉢側面に「のぞき窓」を設け、用土の保水状態を視認できるようにした植木鉢の発明が開示されている。しかし、視認だけでは用土の保水量を認知できない場合がある。すなわち、培養土、赤玉土等の用土は水分の保有量に応じて土の色が濃くなるが、もともと色の薄い用土や目の粗い砂利系の用土などは、水分量に対する色の変化が小さいため、窓を通して用土を視認するだけでは十分な水分量を保持できているか否かの判定が困難である。
【０００６】
上述の問題に鑑み、本考案は、簡易な方法により一目で用土の保水量が分かる植木鉢を提供することを課題とする。
【課題を解決するための手段】
【０００７】
上記課題を解決するために、本考案に係る植木鉢は、側面に少なくとも１の窓を具備し、前記窓に設置された透明板と、植木鉢内において前記透明板の内側に着接する吸水布と、同じく植木鉢内において前記吸水布に着接する色布とを有し、前記吸水布が前記植木鉢内の用土に含まれる水分を吸収した時に、前記色布の色彩が前記吸水布を透過し、前記透明板を通して前記吸水布の色の変化を前記窓の外側より視認できることを特徴とする。
【０００８】
前記透明板は、通常はプラスチックを使用するが、高級感のあるガラスとすることもできる。また、前記吸水布はレーヨン等の化学繊維のほか、吸水時の透過性を考慮してガーゼの繊維や和紙を使用してもよい。さらに、前記色布は彩度の高い化学繊維のほか、数種類の色紙を交換して使用することにより、多数の色を楽しむことができる。
【考案の効果】
【０００９】
本考案に係る植木鉢を使用すれば、土質や土色にかかわらず、一目で用土の水分量が分かるため、植物を枯らせたり弱らせたりすることがなくなる。
【００１０】
鉢側面の窓の数・形状や色布の色彩に変化やバリエーションを設けることにより、単なる園芸の域を超えての楽しみが広がる。これに伴い、装飾品や贈答品としての植木鉢の販路拡大が期待できる。
【図面の簡単な説明】
【００１１】
【図１】本考案に係る植木鉢の斜視図である。
【図２】植木鉢内側面の窓位置に着接する透明板、吸水布、色布の斜視図である。
【考案を実施するための形態】
【００１２】
以下、本考案の植木鉢の実施形態について図を用いて説明する。
【００１３】
図１に示すように、本実施形態に係る植木鉢１は側面１１にハート形の窓１２を具備する。窓１２の形状は、内部が確認できる程度のものであればどのようなものでも構わないが、本実施形態では、カランコエやミニバラ等の小型植物を植栽するプレゼント品の鉢を想定してハート形とした。さらに、窓枠に蛍光塗料を塗布したり、ビーズ等の装飾品を付けたりして嗜好を凝らすことにより、贈答品としての価値を高めることが可能である。
【００１４】
窓１１の内側には窓１１を覆う程度の大きさの透明板２が接着剤によって側面１１に着接されている。また、プラスチック２の内側には白色の吸水布３が、さらに、その内側には高彩度の色布４が着接されており（図２）、窓１２を通して吸水布３の湿り具合を確認することにより用土の保水量を判定できる構成となっている。すなわち、用土の保水量が少ないときには乾燥して白色を保持している吸水布３が、補水量が多くなると用土の水分を吸収し、内側に着接する色布４の色彩を透過させる。この色彩の出具合を窓１２から確認することにより用土の水分量を確認することができる。
【００１５】
透明板２の材質は、本実施形態においてはプラスチックとしたが、高級の鉢では、レリーフ模様を有するガラス等硬質のものも使用可能である。吸水布３は、乾燥時の白色を際立たせるため、レーヨン又はポリエステル等の化学繊維の純白の薄布を使用しているが、水分包含時の色の透過性を優先させる場合には、ガーゼ質のものを使用してもよい。色布４は、保水量の変化が明確に出るように高彩度の化学繊維を使用している。また、吸水布３と色布４は糊付けすることが望ましい。布間に隙間ができて斑にならないようにするためである。
【００１６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、頻繁に部材の交換ができる場合には、吸水布３は模様を楽しむことができる和紙としてもよいし、色布４は多くの色を楽しむことができるよう市販の色紙を使用することも可能である。それらについての本実施形態と異なる形態による実施は、本考案の技術的範囲に含まれるものと解する。
【００１７】
１      植木鉢
１１    側面
１２    窓
２      透明板（プラスチック）
３      吸水布
４      色布
【図１】
0003201848.tif 000003
【図２】
0003201848.tif 000004
(57)【要約】      （修正有）【課題】簡単な針仕事を行う際など、縫い針を一時的に安全に、且つ、手軽に管理するために磁石付糸巻を提供する。【解決手段】通常使用されている、手縫い用の略長方形の紙板状の糸巻１を想定した場合に於いて、長手辺同志を周回させて、糸巻部２が設けられ、二つの短手辺近くの一定領域が空いている形であって、このスペースの何れか一方側、もしくは両側の中央部、もしくは任意の一部分の小領域に、小丸程度の磁石３を設置し、又、ミシン縫用の糸巻管の糸巻に於いては、糸巻管の側壁面の一方、もしくは両方の一か所に、小領域の小丸程度の磁石を設ける。【選択図】図１
0003201823.tif 000002
【実用新案登録請求の範囲】
【請求項１】
通常使用されている、手縫い用の略長方形の紙板状の糸巻を想定した場合に於いて、長手辺同志を周回させて、糸巻部が設けられ、二つの短手辺近くの一定領域が空いている形であって、このスペースの何れか一方側、もしくは両側の中央部、もしくは任意の一部分の小領域に、小丸程度の磁石を設置し、また、ミシン縫用の糸巻に於いては、糸巻管の側壁面の一方、もしくは両方の一か所に、小領域の小丸程度の磁石を設けた、磁石付糸巻。
【考案の詳細な説明】
【技術分野】
【０００１】  本考案は、磁石を取り付けた、糸巻に関するものである。
【背景技術】
【０００２】  従来、手縫い仕事の際、縫い針は、作業を中断する時には、針山に刺していた。
【考案の概要】
【考案が解決しようとする課題】
【０００３】  ボタン付けや、簡単なほつれ直し等の針仕事をした際に、中断する時、手元に針山の用意が無く、失くし易く危険を伴う、縫い針の置き場に困ることをしばしば経験する。本考案は、この問題点を解決するためになされたものである。
【課題を解決するための手段】
【０００４】  通常使用されている、手縫用の略長方形の紙板状の糸巻を想定した場合に於いて、長手辺同志を周回させて、糸巻部が設けられ、二つの短手辺近くの一定領域が空いている形であって、このスペースの何れか一方側、もしくは両側の、中央部もしくは任意の一部分の小領域に、小丸程度の磁石を設置し、又、ミシン縫用の糸巻に於いては、糸巻管の側壁面の一方、もしくは両方の一か所に、小領域の小丸程度の磁石を設ける。
以上の構造からなる、磁石付糸巻。
【考案の効果】
【０００５】  簡単な針仕事を行う際、わざわざ針山を用意するのは、面倒なものである。
しかし、縫い針は失くすと危険な存在である。この考案に於いて、仕事を中断して、縫い針を置く場合、その縫い針を失くさない為には、縫い針を、該、糸巻に設置されている磁石に仮に付けて置けば良く、また、万が一見失った場合には、該、磁石を用いて探れば、針は磁石にくっ付いて来るので、見付にくい縫い針も容易に探し出す事が出来る。本考案は、手縫い用の略長方形の紙板状の糸巻、及び、ミシン縫用の糸巻管状の糸巻の両者に適用出来る。
【図面の簡単な説明】
【０００６】
【図１】本考案の斜視図
【図２】本考案の斜視図
【図３】本考案の実施例を示す斜視図
【図４】本考案の実施例を示す斜視図
【考案を実施するための形態】
【０００７】  以下、本考案の実施の形態を説明する。
（イ）手縫い用糸巻（１）の糸巻部（２）を除く、空いているスペースの一方側、もしく      は、両側の中央部、もしくは任意の一部分の小領域に、小丸程度の磁石（３）を設      置する。
（ロ）ミシン縫い用糸巻（４）に於いては、糸巻管（５）の側壁面（６）の一方、もしく      は両方の一か所に、小領域の小丸程度の磁石（３）を設ける。
本考案は以上のような構造である。
本考案を使用する時は、針仕事を中断する際に、手元に針山の用意が無い時、手縫い用糸巻（１）、ミシン縫い用糸巻（４）には、磁石（３）が設置されているので、針（７）を磁石（３）に付けて置けば、失くした場合に危険な針（７）を、安全に管理することが出来る。また、万が一、失くした場合でも、取り付いて居る磁石（３）によって、効率良く探し出す事が出来る。
【符号の説明】
【０００８】１  手縫い用糸巻、    ２  糸巻部、    ３  磁石、    ４  ミシン縫い用糸巻
５  糸巻管、    ６  側壁面、    ７  針、
【図１】
0003201823.tif 000003
【図２】
0003201823.tif 000004
【図３】
0003201823.tif 000005
【図４】
0003201823.tif 000006
(57)【要約】      （修正有）【課題】被り易く、美麗でお洒落な帽子は、常に望まれているが、近時ストレスや薬剤服用の副作用を原因とする薄毛の悩みが増えており、それを隠し被うための帽子を提供する。【解決手段】寸法に大差を設けた、２種のキャップ１、２を重ね、帽子の縁３で縫い付け、内外キャップの寸法の差で生じた外側キャップ１の余裕の布地をドレープ（襞）などで埋めるなどして飾る構造にする。【選択図】図１
0003201826.tif 000002
【実用新案登録請求の範囲】
【請求項１】
２種のキャップを重ね、両者をキャップの縁の部位で縫い合わせ、一体化してなる帽子。
【請求項２】
２種のキャップの中、外側のキャップの高さを、内側のキャップよりも、３０％以上高く設計して生じた外側キャップの余裕の面積を、ドレープ（襞）などの装飾用に用いた帽子。
【考案の詳細な説明】
【技術分野】
【０００１】帽子（キャップ）の利用目的は幅広い。日よけや熱射防止、防護、着飾り等、時代を写して、形や素材が変化し続けている。
【背景技術】
【０００２】帽子の利用目的の中、着飾る分野が注目されている。中でも薄毛・禿頭を、お栖落に被う機能が評価されつつある。特に医療に関連する帽子である。
【考案の概要】
【考案が解決しようとする課題】
【０００３】薄毛・禿頭を、お洒落に、しかも手軽に隠すための、帽子（キャップ）が欲しい。【０００４】服装のデザインや雰囲気にあわせた、手軽に被れる、ユニークな帽子が欲しい。ユニークな形や色彩、素材を具えた帽子は、周囲を和ませ、利用者の気分を昂揚させる。
【課題を解決するための手段】
【０００５】請求項１の、本考案になる帽子は、２種のキャップを重ね、両者をキャップの縁の部位で縫い合わせて（図１−３）なる帽子である。２個のキャップは、外側（図１−１）が主たる外観を担い、内側のキャップは、人頭部と適合させる役割である。従って、内側のキャップは、これまでの帽子の裏地とは全く異なる。【０００６】請求項２の考案は、２種のキャップの寸法を大巾に違え、２種のキャップをだぶつかせることである。即ち、外側キャップを内側より、その高さを３０％以上高く設計する。【０００７】また、本考案では、図２のように、布生地を独特の裁断を施して、外側のキャップを形づくりする。布生地は、広く選択でき、多彩なデザインを実現できる。【０００８】本考案になるキャップには、帽子の縁にワイヤーを縫い込み、頭部に適合する円形を作る。
【考案の効果】
【０００９】本考案になるキャップによれば、２種のキャップの寸法の差が大きい、即ち外側を占める布生地の面積が広いために、外側キャップのデザインが、自由に、かつ大胆に行えることである。さらに本考案によれば、外側キャップが余裕ある設計で、これに縫い合わせた内キャップとなるため、総じてゆったりした使用感が生まれる。【００１０】この一例を示せば、図５−６の多数の襞を用いることが可能となった。ドレープ（襞）の数も巾も自在に設計でき、この帽子を被れば、ドレープの曲線が多様に流れて美しくなる。【００１１】この外キャップは、１枚の布生地によるので、ドレープ（襞）も、布を折り加工するだけでよい。これまでは、襞をつくる場合、多くは、ドレープ状の布地をキャップに巻きつけて作る手間を要した。【００１２】本考案になるキャップは、ワイヤーを縁に縫いこんでいるので、扱い易い。即ち片手で被ることができる。これはニット帽では得られない、満足感である。
【考案を実施するための形態】
【００１３】キャップの縁の寸法は、普通の帽子より緩めに設計するのがよい。これは外側キャップのデザインが生きるからである。もちろんアジャスターを装着するのがよい。
【図面の簡単な説明】
【００１４】
【図１】図１は、帽子の側面を透視（輪切り）するように示した。
【図２】図２は、外側キャップの布生地の裁断例。破線は縫い付ける部位。
【図３】図３は、外キャップ立体化するように縫い付ける途中を示す斜視図。
【図４】図４は、裁断された外キャップの襞折りの部位を破線で示す。
【図５】図５は、キャップの側面を透視するように示したもので、襞の折り曲げ方を例示した。
【図６】図６は、本考案になるキャップの側面図。
【符号の説明】
【００１５】１……外側キャップ。
２……内側キャップ。
３……縫い付け箇所。
４……破線は縫い付け箇所を示す。
５……ドレープ（襞）をつくるための折り線を破線で示す。
６……ドレープ（襞）。
【図１】
0003201826.tif 000003
【図２】
0003201826.tif 000004
【図３】
0003201826.tif 000005
【図４】
0003201826.tif 000006
【図５】
0003201826.tif 000007
【図６】
0003201826.tif 000008